(57)【要約】【課題】  本発明はロータの回転方向によって、ロータのクラッチ溝とワイパの係合部との係合にかかわる負荷が同一でスムーズにできるとともに、組立て時等でワイパの係合部が他の部品等と絡まるのを効率よく阻止でき、高寸法精度の加工が不要で、係合部の弾性力を考慮することなく設計することができる可変抵抗器を得るにある。【解決手段】シャフトで回転されるロータに所定間隔で形成されたクラッチ溝と係合する係合部が形成されたワイパをハウジング内に収納した可変抵抗器において、前記クラッチ溝と対応する部位の前記ワイパに、該クラッチ溝と同一ピッチあるいは異なるピッチとなるようにクラッチ溝と係合する凸部状の係合部を２個形成して可変抵抗器を構成している。【選択図】  図４
2006049450.tif 000002
【特許請求の範囲】
【請求項１】
シャフトで回転されるロータに所定間隔で形成されたクラッチ溝と係合する係合部が形成されたワイパをハウジング内に収納した可変抵抗器において、前記クラッチ溝と対応する部位の前記ワイパに、該クラッチ溝と同一ピッチあるいは異なるピッチとなるようにクラッチ溝と係合する凸部状の係合部を２個形成したことを特徴とする可変抵抗器。
【請求項２】
シャフトで回転されるロータに所定間隔で形成されたクラッチ溝と係合する係合部が形成されたワイパをハウジング内に収納した可変抵抗器において、前記クラッチ溝と対応する部位の前記ワイパに、該クラッチ溝と同一ピッチあるいは異なるピッチとなるようにクラッチ溝と係合する凸部状の係合部を２個反接点部側の中央部分に形成したことを特徴とする可変抵抗器。
【発明の詳細な説明】
【技術分野】
【０００１】
本発明は小型な可変抵抗器に関する。
【背景技術】
【０００２】
従来の小型な可変抵抗器は、シャフトで回転されるロータに所定間隔で形成されたクラッチ溝と先端部の係合部が係合する弧状に突出する自由端を持つ片持ち形状のクラッチアームを形成したワイパを使用している。
【０００３】
このため、ロータの回転方向により、クラッチ溝とクラッチアームの係合部との係合時の抵抗として、該クラッチアームに引張力か圧縮力のいずれかが加わり、差異が生じるという欠点があるとともに、組立て時や部品の輸送時等で、クラッチアームが他の部品等と絡まりやすく、組立ての作業効率を低下させるという欠点があった。
また、ロータのクラッチ溝とクラッチアームの係合部との係合は弧状に突出するクラッチアームの弾性力を用いるため、クラッチアームの寸法を高精度に加工しなければならないとともに、ワイパの材質も十分な弾性力が得られるものを用いなければならず、コスト高になるという欠点があった。
【特許文献１】ＵＳＰ５０４７７４６号
【発明の開示】
【発明が解決しようとする課題】
【０００４】
本発明は以上のような従来の欠点に鑑み、ロータの回転方向によって、ロータのクラッチ溝とワイパの係合部との係合にかかわる負荷が同一でスムーズにできるとともに、組立て時等でワイパの係合部が他の部品等と絡まるのを効率よく阻止でき、高寸法精度の加工が不要で、係合部の弾性力を考慮することなく設計することができる可変抵抗器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はシャフトで回転されるロータに所定間隔で形成されたクラッチ溝と係合する係合部が形成されたワイパをハウジング内に収納した可変抵抗器において、前記クラッチ溝と対応する部位の前記ワイパに、該クラッチ溝と同一ピッチあるいは異なるピッチとなるようにクラッチ溝と係合する凸部状の係合部を２個形成して可変抵抗器を構成している。
【発明の効果】
【０００７】
以下の説明から明らかなように、本発明にあっては次に列挙する効果が得られる。
【０００８】
（１）シャフトで回転されるロータに所定間隔で形成されたクラッチ溝と係合する係合部が形成されたワイパをハウジング内に収納した可変抵抗器において、前記クラッチ溝と対応する部位の前記ワイパに、該クラッチ溝と同一ピッチあるいは異なるピッチとなるようにクラッチ溝と係合する凸部状の係合部を２個形成して構成されているので、ロータの回転方向が異なっても、ロータのクラッチ溝とワイパの係合部との係合時の抵抗は同じで、スムーズに操作を行なうことができる。
【０００９】
（２）前記（１）によって、ワイパの係合部は凸部状に形成されているので、組立て時や部品の輸送時等で他の部品等と絡まったりして、組立ての作業効率を低下させる等の不具合を防止することができる。
【００１０】
（３）前記（１）によって、ロータのクラッチ溝とワイパの係合部との係合時には係合部の弾性力を使用しないので、係合部の寸法精度を高精度に加工しなくてもよく、安価に製造することができる。
【００１１】
（４）前記（１）によって、ロータのクラッチ溝とワイパの係合部との係合時の弾性力はワイパの接点部の弾性を用いるので、従来の弧状に突出するクラッチアームを用いるものに比べ、安価な材質で製造でき、コストの低減を図ることができる。
【００１２】
（５）請求項２も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図１8に示す本発明を実施するための最良の第１の形態において、１は例えば縦寸法が３．２ｍｍ、横寸法が３．９ｍｍ、高さ寸法が３．９ｍｍという小型の本発明の可変抵抗器で、この可変抵抗器１は前面が開口されたハウジング２と、このハウジング２の背面板２ａの内底中央部に内側へ突出するように形成された軸３に回転可能に取付けられた、前面外周部に所定間隔の多数個のクラッチ溝４を有するロータ５と、このロータ５の外周部の駆動ギヤ６と噛み合い正・逆回転させることができる、前記ハウジング２に外部から回転操作できるように取付けられたねじ部７が形成されたシャフト８と、前記ロータ５の先端中央部に形成されたワイパ支持軸９の直径よりもわずかに大きい直径の軸受孔１０が形成された電極側接点１１、１１と抵抗側接点１２、１２、１２、１２、１２を有するワイパ１３と、このワイパ１３の電極側接点１１、１１と接触する電極側導体１４および抵抗側接点１２、１２、１２、１２、１２と接触する馬蹄形状の抵抗体１５および該馬蹄形状の抵抗体１５の両端部に接続された抵抗側導体１５ａ、１５ａが設けられた基板１６と、この基板１６の電極側導体１４に一端部が接続され、他端部が前記ハウジング２の後方中央部の外側部に位置される電極側端子１７と、前記基板１６の抵抗側導体１５ａ、１５ａに一端部が接続され、他端部が前記ハウジング２の前方の両端部寄りの外側部に位置される抵抗側端子１８、１８と、前記ハウジング２の開口部を密封状態で覆う封止カバー１９と、前記シャフト８、電極側端子１７および抵抗側端子１８、１８と前記ハウジング２との間を密封するOリング２０およびシール剤２１、２１、２１とで構成されている。
【００１５】
前記ワイパ１３は図６ないし図９に示すように、前記軸受孔１０が形成されたほぼ長方形状で板状のワイパ本体２２と、このワイパ本体２２の一側部に一体形成された、前記ハウジング２の上壁２ｂの内側面の中央部の上面が弧状の台形状のストッパー部２３と当接するストッパー片２４と、前記ワイパ本体２２の他端部と一体形成されたほぼＵ字状に曲げられた、前記電極側接点１１、１１および抵抗側接点１２、１２、１２、１２、１２と、前記ワイパ本体２２の一端部のほぼ中央部寄りの部位に前記ロータ５の多数個のクラッチ溝４と同一ピッチに形成された、１個離れたクラッチ溝４、４と係合する２個の凸部状の係合部２５、２５とで構成されている。
なお、本発明を実施するための形態では２個の凸部状の係合部２５、２５は、ワイパ本体２２と隙間が生じないように切断部２６、２６を形成してＶ字状に曲げることにより、該係合部２５、２５に弾性力が生じないように形成している。
【００１６】
上記構成の可変抵抗器１はシャフト８を正・逆回転させることにより、ロータ５、該ロータ５の多数個のクラッチ溝４の１個離れたクラッチ溝４、４に２個の凸部状の係合部２５、２５が係合したワイパ１３とが一体となって回動して、該ワイパ１３の抵抗側接点１２、１２、１２、１２、１２と基板１６の馬蹄形状の抵抗体１５との接触位置がかわり、抵抗値を調整することができる。
図１５に示すようにシャフト８を正・逆回転させてワイパ１３のストッパー片２４がハウジング２のストッパー部２３と接触し、さらに正・逆回転させると、ワイパ本体２２が図１６ないし図１８に示すように撓み、２個の凸部状の係合部２５、２５がロータ５のクラッチ溝４、４との係合が外れ、ロータ５が空転する。
この時計廻り、反時計廻りの空転時には、多数個のクラッチ溝４と同一ピッチに形成された２個の凸部状の係合部２５、２５が、いずれの方向廻りであっても
同様な抵抗で係合、係合解除を図ることができるため、スムーズに操作を行うことができる。
［発明を実施するための異なる形態］
【００１７】
次に、図１９ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１９ないし図２１に示す本発明を実施するための第２の形態において、前記本発明を実施するための最良の第１の形態と主に異なる点は、２個の凸部状の係合部２５、２５のピッチと、ロータ５のクラッチ溝４のピッチを２分の１ずらしたワイパ１３Ａを用いた点で、このようなワイパ１３Ａを用いることにより、クラッチ溝４の４分の１ピッチで係合する可変抵抗器１Ａとなり、ワイパ１３Ａの係合部２５、２５とロータ５のクラッチ溝４との係合が外れた状態から、逆方向にシャフト８を回転させた際に、速やかにワイパ１３Ａの凸部状の係合部２５、２５とロータ５のクラッチ溝４との係合を回復させることができるため、ワイパ１３Ａの空転時における回転方向の切り返し時に、シャフト８の回転に対する応答性を高めることができ、より良好な操作感を得ることができる。
【００１９】
図２２ないし図２５に示す本発明を実施するための第３の形態において、前記本発明を実施するための最良の第１の形態と主に異なる点は、２個のＶ字の凸部状の係合部２５Ａ、２５Ａを形成したワイパ１３Ｂを用いた点で、このようなワイパ１３Ｂを用いて構成した可変抵抗器１Ｂにしても、前記本発明を実施するための最良の第１の形態と同様な作用効果が得られるとともに、ワイパの製造、輸送、組立時等に絡みが生じるのをさらに効率よく阻止することができる。
【産業上の利用可能性】
【００２０】
本発明は可変抵抗器を製造する産業で利用される。
【図面の簡単な説明】
【００２１】
【図１】本発明を実施するための最良の第１の形態の平面図。
【図２】本発明を実施するための最良の第１の形態の背面図。
【図３】本発明を実施するための最良の第１の形態の側面図。
【図４】図２の４−４線に沿う断面図。
【図５】図２の５−５線に沿う断面図。
【図６】本発明を実施するための最良の第１の形態のワイパの平面図。
【図７】本発明を実施するための最良の第１の形態のワイパの正面図。
【図８】本発明を実施するための最良の第１の形態のワイパの底面図。
【図９】本発明を実施するための最良の第１の形態のワイパの側面図。
【図１０】本発明を実施するための最良の第１の形態の基板の正面図。
【図１１】本発明を実施するための最良の第１の形態の基板の背面図。
【図１２】本発明を実施するための最良の第１の形態のワイパの係合部とロータのクラッチ溝との係合状態の平面図。
【図１３】本発明を実施するための最良の第１の形態のワイパの係合部とロータのクラッチ溝との係合状態の側面図。
【図１４】図１２の１４−１４線に沿う断面図。
【図１５】本発明を実施するための最良の第１の形態のワイパのストッパー片とハウジングのストッパー部が接触した状態の説明図。
【図１６】本発明を実施するための最良の第１の形態のワイパの係合部とロータのクラッチ溝との係合が外れた状態の平面図。
【図１７】本発明を実施するための最良の第１の形態のワイパの係合部とロータのクラッチ溝との係合が外れた状態の側面図。
【図１８】本発明を実施するための最良の第１の形態のワイパの係合部とロータのクラッチ溝との係合が外れた状態の正面図。
【図１９】本発明を実施するための第２の形態の断面図。
【図２０】本発明を実施するための第２の形態のワイパの係合部とロータのクラッチ溝との係合状態の平面図。
【図２１】本発明を実施するための第２の形態のワイパの係合部とロータのクラッチ溝との係合状態の側面図。
【図２２】本発明を実施するための第３の形態の断面図。
【図２３】本発明を実施するための第３の形態のワイパの平面図。
【図２４】本発明を実施するための第３の形態のワイパの側面図。
【図２５】図２３の２５−２５線に沿う断面図。
【符号の説明】
【００２２】
１、１Ａ、１Ｂ：可変抵抗器、          ２：ハウジング、
３：軸     、                              ４：クラッチ溝、
５：ロータ、                          ６：駆動ギヤ、
７：ねじ部、                          ８：シャフト、
９：ワイパ支持軸、                    １０：軸受孔、
１１：電極側接点、                    １２：抵抗側接点、
１３、１３Ａ、１３Ｂ：ワイパ、        １４：電極側導体、
１５：馬蹄形状の抵抗体、              １６：基板、
１７：電極側端子、                    １８：抵抗側端子、
１９：封止カバー、                    ２０：Ｏリング、
２１：シール剤、                      ２２：ワイパ本体、
２３：ストッパー部、                  ２４：ストッパー片、
２５、２５Ａ：凸部状の係合部、        ２６：切断部。
【図１】
2006049450.tif 000003
【図２】
2006049450.tif 000004
【図３】
2006049450.tif 000005
【図４】
2006049450.tif 000006
【図５】
2006049450.tif 000007
【図６】
2006049450.tif 000008
【図７】
2006049450.tif 000009
【図８】
2006049450.tif 000010
【図９】
2006049450.tif 000011
【図１０】
2006049450.tif 000012
【図１１】
2006049450.tif 000013
【図１２】
2006049450.tif 000014
【図１３】
2006049450.tif 000015
【図１４】
2006049450.tif 000016
【図１５】
2006049450.tif 000017
【図１６】
2006049450.tif 000018
【図１７】
2006049450.tif 000019
【図１８】
2006049450.tif 000020
【図１９】
2006049450.tif 000021
【図２０】
2006049450.tif 000022
【図２１】
2006049450.tif 000023
【図２２】
2006049450.tif 000024
【図２３】
2006049450.tif 000025
【図２４】
2006049450.tif 000026
【図２５】
2006049450.tif 000027